(57)【要約】【課題】電力変換システムの構成を容易に変更できる技術を提供する。【解決手段】電力変換システム１において、第１電力変換装置２０は、太陽電池１０から出力される直流電圧を異なる値の直流電圧に変換してバス４０に出力する第１電圧変換回路２２と、バス４０の直流電力を交流電力に変換し、当該交流電力を電力系統５２へ供給するインバータ２４とを有する。第２電力変換装置７０は、蓄電装置６０から出力される直流電圧を異なる値の直流電圧に変換してバス４０に出力すること、及び、バス４０の直流電圧を異なる値の直流電圧に変換して蓄電装置６０に充電することが可能な第２電圧変換回路７４と、第２電圧変換回路７４を制御する制御部７８とを有する。コンデンサは、バスに接続されている。電力消費部は、コンデンサに蓄えられた電力を消費する。第２電力変換装置７０の制御部７８は、バス４０の電圧が所定の閾値より低くなった場合に異常を検知する。【選択図】図１
2018057239.tif 000002
【特許請求の範囲】
【請求項１】
太陽電池から出力される直流電圧を異なる値の直流電圧に変換してバスに出力する第１電圧変換回路と、前記バスの直流電力を交流電力に変換し、当該交流電力を電力系統へ供給するインバータと、を有する第１電力変換装置と、
蓄電装置から出力される直流電圧を異なる値の直流電圧に変換して前記バスに出力すること、及び、前記バスの直流電圧を異なる値の直流電圧に変換して前記蓄電装置に充電することが可能な第２電圧変換回路と、前記第２電圧変換回路を制御する制御部と、を有する第２電力変換装置と、
前記バスに接続されたコンデンサと、
前記コンデンサに蓄えられた電力を消費する電力消費部と、を備え、
前記第２電力変換装置の前記制御部は、前記バスの電圧が所定の閾値より低くなった場合に異常を検知することを特徴とする電力変換システム。
【請求項２】
前記第２電力変換装置の前記制御部は、前記バスの電圧が前記閾値より低くなった場合に、前記第２電圧変換回路に、前記蓄電装置から出力される直流電圧を異なる値の直流電圧に変換して前記バスに出力させることを特徴とする請求項１に記載の電力変換システム。
【請求項３】
前記電力消費部は、
前記コンデンサに蓄えられた電力を消費する放電抵抗と、
前記放電抵抗と直列に接続され、前記放電抵抗に前記コンデンサの電力を供給するか否か切り替えるスイッチと、を有し、
前記スイッチは、前記電力系統が停電した場合に、前記放電抵抗に前記コンデンサの電力を供給することを特徴とする請求項１または２に記載の電力変換システム。
【請求項４】
前記電力消費部は、前記第１電力変換装置に設けられていることを特徴とする請求項１から３のいずれか１項に記載の電力変換システム。
【請求項５】
前記電力消費部は、前記第２電力変換装置に設けられていることを特徴とする請求項１から３のいずれか１項に記載の電力変換システム。
【請求項６】
太陽電池から出力される直流電圧を異なる値の直流電圧に変換してコンデンサが接続されたバスに出力する第１電圧変換回路と、前記バスの直流電力を交流電力に変換し、当該交流電力を電力系統へ供給するインバータと、を有する電力変換装置に接続される電力変換装置であって、
蓄電装置から出力される直流電圧を異なる値の直流電圧に変換して前記バスに出力すること、及び、前記バスの直流電圧を異なる値の直流電圧に変換して前記蓄電装置に充電することが可能な第２電圧変換回路と、
前記第２電圧変換回路を制御する制御部と、を備え、
前記制御部は、前記コンデンサに蓄えられた電力が電力消費部により消費されて、前記バスの電圧が所定の閾値より低くなった場合に、異常を検知することを特徴とする電力変換装置。
【発明の詳細な説明】
【技術分野】
【０００１】
本発明は、蓄電装置の充放電を行う電力変換装置、および、それを備えた電力変換システムに関する。
【背景技術】
【０００２】
ＤＣ／ＤＣコンバータ、インバータおよび双方向ＤＣ／ＤＣコンバータが直流バスに接続された電力変換システムが知られている（例えば、特許文献１参照）。ＤＣ／ＤＣコンバータは、太陽電池で発電された直流電圧を昇圧して直流バスに出力する。双方向インバータは、直流バスの直流電力を交流電力に変換して商用電力系統（以下、単に電力系統という）に出力する。太陽電池の出力電力が増加した場合には、双方向ＤＣ／ＤＣコンバータは、直流バスの直流電力を所望の直流電力に変換して蓄電装置を充電する。太陽電池の出力電力が減少した場合には、双方向ＤＣ／ＤＣコンバータは、蓄電装置の直流電力を所望の直流電力に変換して直流バスに出力する。
【先行技術文献】
【特許文献】
【０００３】
【特許文献１】特開２０１５−６１１７号公報
【発明の概要】
【発明が解決しようとする課題】
【０００４】
このような電力変換システムでは、ＤＣ／ＤＣコンバータ、双方向インバータおよび双方向ＤＣ／ＤＣコンバータが一体に構成されているため、システム構成を変更することは困難である。
【０００５】
本発明はこうした状況に鑑みてなされたものであり、その目的は、電力変換システムの構成を容易に変更できる技術を提供することにある。
【課題を解決するための手段】
【０００６】
上記課題を解決するために、本発明のある態様の電力変換システムは、太陽電池から出力される直流電圧を異なる値の直流電圧に変換してバスに出力する第１電圧変換回路と、バスの直流電力を交流電力に変換し、当該交流電力を電力系統へ供給するインバータと、を有する第１電力変換装置と、蓄電装置から出力される直流電圧を異なる値の直流電圧に変換してバスに出力すること、及び、バスの直流電圧を異なる値の直流電圧に変換して蓄電装置に充電することが可能な第２電圧変換回路と、第２電圧変換回路を制御する制御部と、を有する第２電力変換装置と、バスに接続されたコンデンサと、コンデンサに蓄えられた電力を消費する電力消費部と、を備える。第２電力変換装置の制御部は、バスの電圧が所定の閾値より低くなった場合に異常を検知する。
【０００７】
本発明の別の態様は、電力変換装置である。この装置は、太陽電池から出力される直流電圧を異なる値の直流電圧に変換してコンデンサが接続されたバスに出力する第１電圧変換回路と、バスの直流電力を交流電力に変換し、当該交流電力を電力系統へ供給するインバータと、を有する電力変換装置に接続される電力変換装置であって、蓄電装置から出力される直流電圧を異なる値の直流電圧に変換してバスに出力すること、及び、バスの直流電圧を異なる値の直流電圧に変換して蓄電装置に充電することが可能な第２電圧変換回路と、第２電圧変換回路を制御する制御部と、を備える。制御部は、コンデンサに蓄えられた電力が電力消費部により消費されて、バスの電圧が所定の閾値より低くなった場合に、異常を検知する。
【発明の効果】
【０００８】
本発明によれば、電力変換システムの構成を容易に変更できる。
【図面の簡単な説明】
【０００９】
【図１】一実施形態に係る電力変換システムの構成を概略的に示す図である。
【図２】図１の双方向ＤＣ／ＡＣインバータの構成を概略的に示す回路図である。
【発明を実施するための形態】
【００１０】
図１は、一実施形態に係る電力変換システム１の構成を概略的に示す図である。電力変換システム１は、太陽電池１０と、第１電力変換装置２０と、中間バス４０と、ブレーカ５０と、蓄電装置６０と、ブレーカ６２と、第２電力変換装置７０と、を備える。
【００１１】
太陽電池１０は、光起電力効果を利用し、光エネルギーを直接電力に変換する発電装置である。太陽電池１０として、シリコン太陽電池、化合物半導体などを素材にした太陽電池、色素増感型（有機太陽電池）等が使用される。
【００１２】
第１電力変換装置２０は、太陽電池用パワーコンディショナとも称され、太陽電池１０の発電電力を交流電力に変換する。第１電力変換装置２０は、ＤＣ／ＤＣコンバータ（第１電圧変換回路）２２と、双方向ＤＣ／ＡＣインバータ２４と、リレー２６，２８と、ダイオードＤ１０と、整流部３０と、電源部３２と、制御部３４とを有する。
【００１３】
ＤＣ／ＤＣコンバータ２２は、太陽電池１０から出力される直流電圧を異なる値の直流電圧に変換して中間バス４０に出力する。具体的にはＤＣ／ＤＣコンバータ２２は、太陽電池１０の直流電圧を昇圧する。
【００１４】
双方向ＤＣ／ＡＣインバータ２４は、中間バス４０の直流電力を交流電力に変換し、当該交流電力を、リレー２６とブレーカ５０を介して電力系統５２へ供給することが可能である。また、双方向ＤＣ／ＡＣインバータ２４は、ブレーカ５０とリレー２６を介して供給された電力系統５２の交流電力を直流電力に変換し、当該直流電力を中間バス４０に出力することが可能である。双方向ＤＣ／ＡＣインバータ２４のより詳しい構成は後述する。
【００１５】
リレー２６は、制御部３４により制御され、双方向ＤＣ／ＡＣインバータ２４とブレーカ５０とを導通させるか否か切り替える。ブレーカ５０は、ユーザなどにより操作され、リレー２６と電力系統５２とを導通させるか否か切り替える。ブレーカ５０と電力系統５２の間には、図示しない負荷が接続される。
【００１６】
双方向ＤＣ／ＡＣインバータ２４から出力される交流電力は、リレー２８を介して自立負荷５４にも供給される。リレー２８は、制御部３４により制御され、双方向ＤＣ／ＡＣインバータ２４と自立負荷５４とを導通させるか否か切り替える。自立負荷５４は、停電時などの必要な場合にユーザなどによって接続される。
【００１７】
ダイオードＤ１０は、アノードが中間バス４０に接続され、カソードが電源部３２に接続されている。整流部３０は、リレー２６とブレーカ５０との間に接続され、双方向ＤＣ／ＡＣインバータ２４または電力系統５２から供給される交流電力を整流し、整流された電力を電源部３２に供給する。
【００１８】
電源部３２は、ＤＣ／ＤＣコンバータを含み、ダイオードＤ１０を介して供給される中間バス４０の電力と整流部３０から供給される電力とに基づいて電源用の電力を生成し、制御部３４に供給する。
【００１９】
制御部３４は、電源部３２から供給された電力によって動作し、リレー２６，２８と、ＤＣ／ＤＣコンバータ２２と、双方向ＤＣ／ＡＣインバータ２４とを制御する。また、制御部３４は、例えばＲＳ−４８５規格またはＴＣＰ−ＩＰ規格に準拠した通信方式に従い通信線Ｌ１を介して第２電力変換装置７０とシリアル通信し、第２電力変換装置７０の動作を制御する。即ち、第１電力変換装置２０はマスタ装置として機能し、第２電力変換装置７０はスレーブ装置として機能する。
【００２０】
蓄電装置６０は、電力を充放電可能であり、リチウムイオン蓄電池、ニッケル水素蓄電池、鉛蓄電池、電気二重層キャパシタ、リチウムイオンキャパシタ等を含む。蓄電装置６０から出力される直流電力は、ブレーカ６２を介して第２電力変換装置７０に供給される。ブレーカ６２は、ユーザなどにより操作され、蓄電装置６０と第２電力変換装置７０とを導通させるか否か切り替える。
【００２１】
第２電力変換装置７０は、充放電ユニットとも称され、第１電力変換装置２０の制御に従って蓄電装置６０の充放電を行う。第２電力変換装置７０は、中間バス４０および通信線Ｌ１により第１電力変換装置２０に接続されている。第２電力変換装置７０は、リレー７２と、双方向ＤＣ／ＤＣコンバータ（第２電圧変換回路）７４と、電源部７６と、制御部７８と、を有する。
【００２２】
リレー７２は、ブレーカ６２と双方向ＤＣ／ＤＣコンバータ７４との間に接続されており、制御部７８により制御され、ブレーカ６２と双方向ＤＣ／ＤＣコンバータ７４とを導通させるか否か切り替える。
【００２３】
双方向ＤＣ／ＤＣコンバータ７４は、蓄電装置６０から出力される直流電圧を異なる値の直流電圧に変換して中間バス４０に出力すること、及び、中間バス４０の直流電圧を異なる値の直流電圧に変換して蓄電装置６０に充電することが可能である。具体的には双方向ＤＣ／ＤＣコンバータ７４は、蓄電装置６０の電圧を昇圧し、中間バス４０の電圧を降圧する。
【００２４】
電源部７６は、ＤＣ／ＤＣコンバータを含み、ブレーカ６２を介して供給された蓄電装置６０の電力に基づいて電源用の電力を生成し、制御部７８に供給する。制御部７８は、電源部７６から供給された電力によって動作し、通信線Ｌ１を介した制御部３４の制御に基づいてリレー７２と双方向ＤＣ／ＤＣコンバータ７４を制御する。制御部７８は、中間バス４０の電圧が所定の閾値より低くなった場合に、異常を検知し、双方向ＤＣ／ＤＣコンバータ７４に、蓄電装置６０から出力される直流電圧を異なる値の直流電圧に変換して中間バス４０に出力させる。
【００２５】
制御部３４，７８のそれぞれの構成は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、その他のＬＳＩを利用できる。ソフトウェア資源としてファームウェア等のプログラムを利用できる。
【００２６】
図２は、図１の双方向ＤＣ／ＡＣインバータ２４の構成を概略的に示す回路図である。
双方向ＤＣ／ＡＣインバータ２４は、中間コンデンサＣ１と、電力消費部３６と、スイッチング素子Ｑ１〜Ｑ４と、ダイオードＤ１〜Ｄ４と、フィルタＦ１とを有する。
【００２７】
中間コンデンサＣ１は、中間バス４０と接地ライン４２との間に接続され、中間バス４０の電圧を安定化させる。接地ライン４２は、図１では図示を省略している。
【００２８】
電力消費部３６は、中間バス４０と接地ライン４２との間に接続され、中間コンデンサＣ１に蓄えられた電力を消費する。電力消費部３６は、放電抵抗Ｒ１と、スイッチＳＷ１とを有する。放電抵抗Ｒ１とスイッチＳＷ１は、中間バス４０と接地ライン４２との間に直列に接続されている。スイッチＳＷ１は、放電抵抗Ｒ１に中間コンデンサＣ１の電力を供給するか否か切り替える。スイッチＳＷ１としては、例えば、リレーまたは各種トランジスタを用いることができる。
【００２９】
スイッチＳＷ１は、電力系統５２が通電している間、制御部３４によりオフ状態に制御されている。スイッチＳＷ１は、電力系統５２が停電した場合に、制御部３４によりターンオンされ、放電抵抗Ｒ１に中間コンデンサＣ１の電力を供給する。これにより、電力系統５２の停電時に中間コンデンサＣ１の電力が消費され、電力系統５２の通電時には中間コンデンサＣ１の電力が消費されないので、蓄電システム１の電力変換効率を高めることができる。電力消費部３６と中間コンデンサＣ１は、双方向ＤＣ／ＡＣインバータ２４の外部に設けられてもよい。
【００３０】
スイッチング素子Ｑ１〜Ｑ４は、例えばＩＧＢＴ（Insulated Gate Bipolar Transistor：絶縁ゲートバイポーラトランジスタ）であり、中間バス４０と接地ライン４２との間にブリッジ接続されている。スイッチング素子Ｑ１〜Ｑ４は、制御部３４の制御に従ってスイッチング動作する。スイッチング素子Ｑ１〜Ｑ４には、それぞれ対応するダイオードＤ１〜Ｄ４が逆並列に接続されている。スイッチング素子Ｑ１〜Ｑ４から出力される交流電力は、フィルタＦ１によって波形整形されてリレー２６，２８に供給される。
【００３１】
以上のように第１電力変換装置２０と第２電力変換装置７０は別々に構成されているため、初期導入時には蓄電装置６０とブレーカ６２と第２電力変換装置７０とを設けずに、太陽光発電用途で第１電力変換装置２０を単体で動作させることができる。この場合、初期導入費用を低減できる。
【００３２】
そして、設置済みの第１電力変換装置２０に対して、所望の時期に第２電力変換装置７０を後付けすることができる。第１電力変換装置２０と第２電力変換装置７０は、中間バス４０および通信線Ｌ１によって接続されるので、接続が容易である。従って、設置工事を容易に行うことができる。第１電力変換装置２０と第２電力変換装置７０を接続することにより、電力変換システム１は、いわゆる創蓄パワーコンディショナとして機能する。
【００３３】
次に、電力変換システム１の動作を説明する。太陽電池１０が発電している場合、ＤＣ／ＤＣコンバータ２２は、太陽電池１０で発電された直流電圧を昇圧して直流バス４０に出力する。双方向ＤＣ／ＡＣインバータ２４は、直流バス４０の直流電力を交流電力に変換して電力系統５２に出力する。
【００３４】
太陽電池１０の発電電力が比較的大きい場合、双方向ＤＣ／ＤＣコンバータ７４は、直流バス４０の直流電力に基づいて蓄電装置６０を充電することもできる。太陽電池１０の発電電力が比較的小さい場合、または、太陽電池１０が発電していない場合、双方向ＤＣ／ＤＣコンバータ７４は、蓄電装置６０の直流電力を変換して直流バス４０に出力することもできる。
【００３５】
また、自立運転時には、リレー２６がオフ状態に制御され、リレー２８がオン状態に制御され、双方向ＤＣ／ＡＣインバータ２４は、交流電力を自立負荷５４に出力する。
【００３６】
また、太陽電池１０が発電しておらず、蓄電装置６０を充電する場合、双方向ＤＣ／ＡＣインバータ２４は、電力系統５２の交流電力を直流電力に変換して直流バス４０に出力する。双方向ＤＣ／ＤＣコンバータ７４は、直流バス４０の直流電力を用いて蓄電装置６０を充電する。
【００３７】
これらの動作は、第１電力変換装置２０では制御部３４の制御に従って行われ、第２電力変換装置７０では制御部３４の制御に基づく制御部７８の制御に従って行われる。
【００３８】
ここで、第２電力変換装置７０が待機中であって蓄電装置６０が中間バス４０に放電しておらず、夜間などで太陽電池１０が発電できない場合を想定する。この場合、双方向ＤＣ／ＡＣインバータ２４は動作していないが、リレー２６はオン状態に制御されている。リレー２６のオン／オフの切り替え時の音を可能な限り抑制するためである。そのため、電力系統５２の交流電力により、図２に示す双方向ＤＣ／ＡＣインバータ２４のダイオードＤ１〜Ｄ４を介して中間バス４０に電力が供給され、中間コンデンサＣ１が充電される。制御部３４は、電力系統５２の交流電力と中間バス４０の直流電力に基づいて動作する。
【００３９】
この状態で電力系統５２が停電した場合、停電を検知した制御部３４は、リレー２６をターンオフさせ、電力消費部３６のスイッチＳＷ１をターンオンさせる。これにより、中間コンデンサＣ１の電力は放電抵抗Ｒ１で消費される。電力系統５２から双方向ＤＣ／ＡＣインバータ２４のダイオードＤ１〜Ｄ４を介して中間バス４０に供給される電力は無く、中間コンデンサＣ１の電力も無く、整流部３０から出力される電力も無いため、第１電力変換装置２０の制御部３４への電力供給が無くなる。そのため、制御部３４は、動作を停止し、第２電力変換装置７０に放電指示を出せない。なお、制御部３４は、停電を検知した直後に通信線Ｌ１を介して第２電力変換装置７０に放電指示を出すことは困難である。ＲＳ−４８５規格で通信を行うには、停電から制御部３４への電力供給が無くなるまでの時間が短すぎるためである。
【００４０】
このとき第２電力変換装置７０の制御部７８は、電力系統５２の停電とは無関係に、蓄電装置６０の電力に基づいて動作を続けており、中間バス４０の電圧が所定の閾値より低くなったことで異常を検知する。そして制御部７８は、ＤＣ／ＤＣコンバータ７４に、蓄電装置６０から出力される直流電圧を異なる値の直流電圧に変換して中間バス４０に出力させる。そのため、中間バス４０の電力に基づいて、第１電力変換装置２０の制御部３４が動作を再開して、第１電力変換装置２０を待機状態にする。この後、自立運転を指示するユーザの操作に応じて、制御部３４は、リレー２８をターンオンさせる。双方向ＤＣ／ＡＣインバータ２４は、蓄電装置６０の電力に基づく中間バス４０の電力を交流電力に変換し、当該交流電力を、リレー２８を介して自立負荷５４に供給できる。
【００４１】
また、夜間などで太陽電池１０が発電できず、第２電力変換装置７０が電力系統５２の交流電力に基づいて蓄電装置６０を充電中に、電力系統５２が停電した場合にも、同様に動作する。
【００４２】
このように本実施形態によれば、第１電力変換装置２０と第２電力変換装置７０は別々に構成されているため、初期導入時には第１電力変換装置２０を設置し、その後、第１電力変換装置２０に第２電力変換装置７０を接続し、創蓄パワーコンディショナとしての蓄電システム１を構築できる。従って、電力変換システム１の構成を容易に変更できる。
【００４３】
また、第２電力変換装置７０の制御部７８は、中間バス４０の電圧が閾値より低くなった場合に異常を検知するので、第１電力変換装置２０と第２電力変換装置７０が別々に構成されていても、停電を検知できる。従って、第２電力変換装置７０は、第１電力変換装置２０からの放電指示が無くとも、接続蓄電装置６０の電力を第１電力変換装置２０に供給して、停電に適切に対処できる。
【００４４】
以上、本発明について、実施形態をもとに説明した。この実施形態は例示であり、それらの各構成要素あるいは各処理プロセスの組合せにいろいろな変形例が可能なこと、また、そうした変形例も本発明の範囲にあることは当業者に理解されるところである。
【００４５】
例えば、以上の実施形態では電力消費部３６は第１電力変換装置２０に設けられている一例について説明したが、これに替えて、または、これに加えて、電力消費部３６が第２電力変換装置７０に設けられていてもよい。この場合、第２電力変換装置７０の電力消費部３６のスイッチＳＷ１に対しては、第１電力変換装置２０の制御部３４から論理信号が供給される。ＲＳ−４８５規格の通信ではなく、より高速な論理信号を用いるため、停電後、制御部３４の動作が停止する前にスイッチＳＷ１を制御可能である。この変形例では、設計の自由度を向上できる。
【００４６】
また、電力消費部３６は、スイッチＳＷ１を有さず、放電抵抗Ｒ１から構成されてもよい。この変形例では、構成および制御を簡素化できる。
【００４７】
なお、実施の形態は、以下の項目によって特定されてもよい。
【００４８】
［項目１］
太陽電池（１０）から出力される直流電圧を異なる値の直流電圧に変換してバス（４０）に出力する第１電圧変換回路（２２）と、前記バス（４０）の直流電力を交流電力に変換し、当該交流電力を電力系統（５２）へ供給するインバータ（２４）と、を有する第１電力変換装置（２０）と、
蓄電装置（６０）から出力される直流電圧を異なる値の直流電圧に変換して前記バス（４０）に出力すること、及び、前記バス（４０）の直流電圧を異なる値の直流電圧に変換して前記蓄電装置（６０）に充電することが可能な第２電圧変換回路（７４）と、前記第２電圧変換回路（７４）を制御する制御部（７８）と、を有する第２電力変換装置（７０）と、
前記バス（４０）に接続されたコンデンサ（Ｃ１）と、
前記コンデンサ（Ｃ１）に蓄えられた電力を消費する電力消費部（３６）と、を備え、
前記第２電力変換装置（７０）の前記制御部（７８）は、前記バス（４０）の電圧が所定の閾値より低くなった場合に異常を検知することを特徴とする電力変換システム（１）。
［項目２］
前記第２電力変換装置（７０）の前記制御部（７８）は、前記バス（４０）の電圧が前記閾値より低くなった場合に、前記第２電圧変換回路（７４）に、前記蓄電装置（６０）から出力される直流電圧を異なる値の直流電圧に変換して前記バス（４０）に出力させることを特徴とする項目１に記載の電力変換システム（１）。
［項目３］
前記電力消費部（３６）は、
前記コンデンサ（Ｃ１）に蓄えられた電力を消費する放電抵抗（Ｒ１）と、
前記放電抵抗（Ｒ１）と直列に接続され、前記放電抵抗（Ｒ１）に前記コンデンサ（Ｃ１）の電力を供給するか否か切り替えるスイッチ（ＳＷ１）と、を有し、
前記スイッチ（ＳＷ１）は、前記電力系統（５２）が停電した場合に、前記放電抵抗（Ｒ１）に前記コンデンサ（Ｃ１）の電力を供給することを特徴とする項目１または２に記載の電力変換システム（１）。
［項目４］
前記電力消費部（３６）は、前記第１電力変換装置（２０）に設けられていることを特徴とする項目１から３のいずれか１項に記載の電力変換システム（１）。
［項目５］
前記電力消費部（３６）は、前記第２電力変換装置（７０）に設けられていることを特徴とする項目１から３のいずれか１項に記載の電力変換システム（１）。
［項目６］
太陽電池（１０）から出力される直流電圧を異なる値の直流電圧に変換してコンデンサ（Ｃ１）が接続されたバス（４０）に出力する第１電圧変換回路（２２）と、前記バス（４０）の直流電力を交流電力に変換し、当該交流電力を電力系統（５２）へ供給するインバータ（２４）と、を有する電力変換装置（２０）に接続される電力変換装置（７０）であって、
蓄電装置（６０）から出力される直流電圧を異なる値の直流電圧に変換して前記バス（４０）に出力すること、及び、前記バス（４０）の直流電圧を異なる値の直流電圧に変換して前記蓄電装置（６０）に充電することが可能な第２電圧変換回路（７４）と、
前記第２電圧変換回路（７４）を制御する制御部（７８）と、を備え、
前記制御部（７８）は、前記コンデンサ（Ｃ１）に蓄えられた電力が電力消費部（３６）により消費されて、前記バス（４０）の電圧が所定の閾値より低くなった場合に、異常を検知することを特徴とする電力変換装置（７０）。
【符号の説明】
【００４９】
１…電力変換システム、Ｃ１…中間コンデンサ、Ｒ１…放電抵抗、ＳＷ１…スイッチ、１０…太陽電池、２０…第１電力変換装置、２２…ＤＣ／ＤＣコンバータ（第１電圧変換回路）、２４…双方向ＤＣ／ＡＣインバータ、３４…制御部、３６…電力消費部、４０…中間バス、５２…電力系統、６０…蓄電装置、７０…第２電力変換装置、７４…双方向ＤＣ／ＤＣコンバータ（第２電圧変換回路）、７８…制御部。
【図１】
2018057239.tif 000003
【図２】
2018057239.tif 000004